【事件の表示】
　特許第３３６０５９７号「画像表示装置」の請求項１ないし３に係る特許に対する特許異議の申立てについて、次のとおり決定する。
【結　論】
　訂正を認める。
　特許第３３６０５９７号の請求項１ないし３に係る特許を維持する。
【理　由】
１　手続の経緯
　特許第３３６０５９７号の請求項１ないし３に係る発明についての出願は、平成１０年２月１８日に特許出願され、平成１４年１０月１８日にその特許の設定登録がなされ、その後、鈴木徹から特許異議の申立てがなされ、取消理由通知がなされ、その指定期間内である平成１６年７月２３日に訂正請求がなされたものである。
　
２　訂正の適否についての判断
(１)　訂正事項
ア　請求項１における記載を訂正請求書に添付した全文訂正明細書のとおり
「【請求項１】画像撮影装置によって画像記録媒体に記録された複数の画像ファイルを表示可能な画像表示装置であって、画像ファイルに対する操作を当該ファイルの履歴情報として付与する履歴情報付与手段と、所望の画像ファイルを、設定された検索条件により検索する検索手段と、画像ファイルに対する操作の複数の履歴情報から当該ファイルの評価指標を演算し、該評価指標を検索条件として設定可能な検索条件設定手段とを備えたことを特徴とする画像表示装置。」と訂正する。
　
イ　明細書の発明の詳細な説明中、段落【０００６】の６行目の「履歴情報を含む検索条件を」を「複数の履歴情報から当該ファイルの評価指標を演算し、該評価指標を検索条件として」と訂正する。また、８行目の「履歴情報を含む設定された検索条件から」を「履歴情報から当該ファイルの評価指標を演算し、該評価指標を検索条件として」と訂正する。
　
　なお、段落【０００９】、【００１０】の記載内容を削除する訂正は、既に削除する補正がなされている。
　
(２)　訂正の目的の適否、新規事項の有無及び拡張・変更の存否
　上記アの特許請求の範囲の訂正は、検索条件設定の手段を具体的に限定するもので、特許請求の範囲の減縮を目的とし、新規事項の追加に該当せず、実質上特許請求の範囲を拡張し、又は変更するものではない。
 　また、上記イの発明の詳細な説明の訂正は、特許請求の範囲と整合を取るためのものであり、明瞭でない記載の釈明を目的とし、新規事項の追加に該当せず、実質上特許請求の範囲を拡張し、又は変更するものではない。
　
(３)　むすび
　以上のとおりであるから、上記訂正は、特許法１２０条の４第２項の規定、及び３項で準用する１２６条２項、３項の規定に適合するので、当該訂正を認める。
 　
３　特許異議の申立てについての判断
(１)　申立ての理由の概要
　特許異議申立人は、請求項１ないし３に係る発明は、甲第１号証（特開平８−１４００２７号公報）を基に当業者が容易に発明をすることができたものであり、特許法２９条２項の規定により、特許を受けることができないものであるから、特許を取り消すべきと主張している。 
　さらに、申立人は、甲第１号証記載の発明と同一であるとして特許法２９条１項３号をも主張している。
　
(２)　訂正明細書の請求項１に係る発明
　訂正明細書の請求項１に係る発明は、その特許請求の範囲の請求項１に記載された事項により特定される前述のとおりのものである。（以下、「本件発明」という。）
　
(３)　甲第１号証記載の発明
　甲第１号証（特開平８−１４００２７号公報）には、特許異議申立人が特許異議申立書において主張するとおりの発明が記載されている。
　　
(４)　対比・判断
　本件発明と甲第１号証に記載された発明を対比すると次の一致点、相違点が認められる。
【一致点】画像撮影装置によって画像記録媒体に記録された複数の画像ファイルを表示可能な画像表示装置であって、画像ファイルに対する操作を当該ファイルの履歴情報として付与する履歴情報付与手段と、所望の画像ファイルを、設定された検索条件により検索する検索手段と、画像ファイルに対する操作の履歴情報から検索条件として設定可能な検索条件設定手段とを備えたことを特徴とする画像表示装置。
　
【相違点】本願発明検索条件設定手段が、画像ファイルに対する操作の複数の履歴情報から当該ファイルの評価指標を演算し、該評価指標を検索条件として設定可能であるのに対し、甲第１号証では検索条件が、履歴情報あるいは撮影日時である点。
　
　そこで検討するに、操作に関する複数の履歴情報を基に演算して評価指標を得、これを検索条件として設定することは、単に一つの履歴情報を基に個々に検索するものと比し、十分創意工夫が認められ、明細書記載の効果も認められることから、当業者が容易に推考できたものとはいえない。
　
　したがって、本件発明は甲第１号証に記載された発明と同一、又は同発明に基づいて当業者が容易に発明をすることができたものとはいえない。
 　
(５) また、請求項２及び３に記載された発明は、請求項１を引用する形式であり、同様の理由により、同一であるとも、当業者が容易に発明をすることができたものともいえない。
　　
４　むすび
 　以上のとおりであるから、特許異議申立ての理由及び証拠によっては本件請求項１ないし３に係る発明の特許を取り消すことはできない。
　よって、結論のとおり決定する。
【異議決定日】
平成１６年１０月２８日（２００４．１０．２８）
【訂正の要旨】
審決（決定）の【理由】欄参照。
（５４）【発明の名称】
画像表示装置
（５７）【特許請求の範囲】
　【請求項１】　画像撮影装置によって画像記録媒体に記録された複数の画像ファイルを表示可能な画像表示装置であって、
　画像ファイルに対する操作を当該ファイルの履歴情報として付与する履歴情報付与手段と、
　所望の画像ファイルを、設定された検索条件により検索する検索手段と、
　画像ファイルに対する操作の
複数の
から当該ファイルの評価指標を演算し、該評価指標を検索条件として
を備えたことを特徴とする画像表示装置。
　【請求項２】　メモリカード又は／及び大容量記憶メディアとの間で画像データの書き込み、読み出しが可能であり、
　前記メモリカードから大容量記憶メディアへ画像ファイルを転送する操作が行われた場合、その転送を当該ファイルの履歴情報とすることを特徴とする請求項１に記載の画像表示装置。
　【請求項３】　パーソナルコンピュータに接続され、画像表示装置本体からパーソナルコンピュータへ画像ファイルを転送する操作が行われた場合、その転送を当該ファイルの履歴情報とすることを特徴とする請求項１に記載の画像表示装置。
【発明の詳細な説明】
　【０００１】
　【発明の属する技術分野】
　本発明は、デジタルカメラ等の画像撮影装置によって画像記録媒体に記録された複数の画像ファイルを表示可能な画像表示装置に関する。
　【０００２】
　【従来の技術】
　従来、画像データベースが知られている。１つの画像データベースは、画像ファイルに対して、キー情報（コード情報）を関連づけておき、検索時にはキー情報を入力することにより、目的の画像を抽出しようとするものである。また、１つの画像データベースは、複数の画像を順次表示するブラウジング機能を備えている。これは、キー情報からの検索だけではなく、画像を１枚１枚表示させることにより、操作者の目視判断で、目的の画像を抽出するものである。
　【０００３】
　【発明が解決しようとする課題】
　しかしながら、上記前者の画像データベースは、キー情報の体系化や、キー情報の入力作業を行わないと、検索して目的の画像を抽出することは不可能である。ところが、これらの作業は大変な労力を要する。特に、デジタルカメラにより撮影された画像データについては、撮影時にキー情報を入力する必要があるが、すぐに入れないと忘れてしまうばかりか、この作業は一般に煩雑であり、一方、キー情報の入力にとらわれていると、シャッターチャンスを逃してしまう。
　【０００４】
　また、後者の画像データベースは、数十枚の画像データのブラウジングであれば、実用的で確実に目的の画像を抽出できるが、対象となる画像データの枚数が増えると、ブラウジングに大変な時間がかかり実用的ではない。特に、デジタルカメラで撮影した場合は、ＤＰＥ（プリント）が不要ということもあって、銀塩カメラと比較して、たくさんの撮影を行うことが多いので、画像データの数が大きくなりがちである。このように、画像を検索するときに、キーワードを付与する手間がかからず、確実に行えるのは、実際に画像をブラウジングして、必要な画像を抽出する方法である。しかし、多量の画像データから、たびたびブラウジングを行うのは、時間がかかる煩わしい作業となる。
　【０００５】
　本発明は、上記問題を解消するためになされたものであり、撮影後に一度でもアクセスした画像は２度、３度と使う可能性が高いことに着目し、最初のブラウジング操作で、どの画像に対して、どのような操作をしたかを履歴情報として記録しておくことにより、次回に、同じ画像を抽出する際に、画像に対する操作の履歴情報を手がかりに、必要な画像を抽出することができるようにして、簡便に所望の画像ファイルの検索が可能な画像表示装置を提供することを目的とする。
　【０００６】
　【課題を解決するための手段】
　上記目的を達成するために本発明は、画像撮影装置によって画像記録媒体に記録された複数の画像ファイルを表示可能な画像表示装置であって、画像ファイルに対する操作を当該ファイルの履歴情報として付与する履歴情報付与手段と、所望の画像ファイルを、設定された検索条件により検索する検索手段と、画像ファイルに対する操作の
複数の
から当該ファイルの評価指標を演算し、該評価指標を検索条件として
から当該ファイルの評価指標を演算し、該評価指標を検索条件として
　【０００７】
　また、上記において、メモリカード又は／及び大容量記憶メディアとの間で画像データの書き込み、読み出しが可能であり、前記メモリカードから大容量記憶メディアへ画像ファイルを転送する操作が行われた場合、その転送を当該ファイルの履歴情報とすることができる。これにより、他のメディアへの転送を行った画像ファイルには履歴情報が付与される。ここに、例えば、メモリカードから光磁気ディスクにデータを転送したときには、光磁気ディスク上に履歴情報を記録するためのエリアを確保しておく。
　【０００８】
　また、パーソナルコンピュータに接続され、画像表示装置本体からパーソナルコンピュータへ画像ファイルを転送する操作が行われた場合、その転送を当該ファイルの履歴情報とすることができる。これにより、パーソナルコンピュータへの転送を行った画像ファイルには履歴情報が付与れる。
　【０００９】
　【００１０】
　【００１１】
　【発明の実施の形態】
＜デジタルカメラの説明＞
　以下、本発明の一実施形態に係る画像検索システムについて図面を参照して説明する。図１は本発明の一実施形態に係る画像検索システムに適用されるデジタルカメラの正面図、図２は同背面図、図３は同底面図、図４はこのデジタルカメラの電気的構成を示すブロック図、図５はこのデジタルカメラに備えられる全体制御部２１１の詳細構成を示すブロック図である。デジタルカメラ１は、箱型のカメラ本体部２と直方体状の撮像部３とから構成されている。撮像部３は、正面から見てカメラ本体部２の右側面に着脱可能に取り付けられ、この右側面と平行な面内で回動可能に構成されている。
　【００１２】
　撮像部３は、マクロズームからなる撮影レンズ及びＣＣＤ（Ｃｈａｒｇｅ　Ｃｏｕｐｌｅｄ　Ｄｅｖｉｃｅ）等の光電変換素子からなる撮像装置を有し、被写体の光学像をＣＣＤの各画素で光電変換された電荷信号により構成される画像に変換して取り込むものである。カメラ本体部２は、ＬＣＤ（Ｌｉｑｕｉｄ　Ｃｒｙｓｔａｌ　Ｄｉｓｐｌａｙ）からなる表示部１０、画像データが記憶されるメモリカード８を装填する装填部１７、及びパーソナルコンピュータが外部接続される接続端子１３を有している。カメラ本体部２は、主として上記撮像部３で取り込まれた画像信号に所定の信号処理を施した後、表示部１０への表示、メモリカード８への記録、パーソナルコンピュータへの転送等を行うための処理を行なう。
　【００１３】
　撮像部３にはマクロズームレンズ３０１が配設され、このマクロズームレンズ３０１の後方位置の適所にＣＣＤカラーエリアセンサ３０３を備えた撮像回路が設けられている。また、撮像部３には、フラッシュ光の被写体からの反射光を受光する調光センサ３０５が備えられ、撮像部３内の調光回路３０４と電気的に接続している。
　【００１４】
　カメラ本体部２の前面には、図１に示すように、左端部の適所にグリップ部４が設けられ、右端部の上部適所に内蔵フラッシュ５が設けられている。また、カメラ本体部２の上面には、図３に示すように、略中央に記録画像を再生する際のコマ送り用のスイッチ６，７が設けられている。スイッチ６は、記録画像をコマ番号が増大する方向（撮影順の方向）にコマ送りするためのスイッチ（以下、ＵＰスイッチという）であり、スイッチ７は、記録画像をコマ番号が減少する方向にコマ送りするためのスイッチ（以下、ＤＯＷＮスイッチという）である。また、背面側から見てＤＯＷＮスイッチ７の左側に、メモリカード８に記録された画像を消去するための消去スイッチＤが設けられ、ＵＰスイッチ６の右側にシャッタボタン９が設けられている。
　【００１５】
　カメラ本体部２の背面には、図２に示すように、左端部の略中央に撮影画像のモニタ表示（ビューファインダーに相当）及び記録画像の再生表示等を行なうためのＬＣＤ表示部１０が設けられ、このＬＣＤ表示部１０の上方には、フラッシュ発光に関するモードを切り換えるためのＦＬモード設定スイッチ１１と、電源スイッチＰＳが設けられ、下方にはメモリカード８に記録される画像データの圧縮率Ｋを切換設定するための圧縮率設定スライドスイッチ１２が、側方にはパーソナルコンピュータが外部接続される接続端子１３が設けられている。
　【００１６】
　デジタルカメラ１には、フラッシュ発光に関するモードとして被写体輝度に応じて自動的に内蔵フラッシュ５を発光させる「自動発光モード」、被写体輝度に関係なく内蔵フラッシュ５を強制的に発光させる「強制発光モード」、及び内蔵フラッシュ５の発光を禁止する「発光禁止モード」が設けられており、ＦＬモード設定スイッチ１１を押す毎に「自動発光」、「強制発光」及び「発光禁止」の各モードがサイクリックに切り換わり、いずれかのモードが選択設定される。また、デジタルカメラ１は、１／８と１／２０の２種類の圧縮率Ｋが選択設定可能になされ、上記の圧縮率設定スイッチ１２を右にスライドすると、圧縮率Ｋ＝１／８が設定され、左にスライドすると、圧縮率Ｋ＝１／２０が設定されるようになっている。なお、本実施の形態では、２種類の圧縮率Ｋが選択設定できるようにしているが、３種類以上の圧縮率Ｋを選択設定できるようにしてもよい。
　【００１７】
　さらに、カメラ本体部２の背面の右端上部には、「撮影モード」と「再生モード」とを切換設定する撮影／再生モード設定スイッチ１４が設けられている。撮影モードは写真撮影を行なうモードであり、再生モードはメモリカード８に記録された撮影画像をＬＣＤ表示部１０に再生表示するモードである。撮影／再生モード設定スイッチ１４は２接点のスライドスイッチからなり、例えば、右にスライドすると再生モードが設定され、左にスライドすると撮影モードが設定される。カメラ本体部２の底面には、メモリカード８のカード装填室１７と、電池装填室１８とが設けられ、両装填室１７，１８の装填口は、クラムシェルタイプの蓋１５により閉塞される。本実施の形態におけるデジタルカメラ１は、４本の単三形乾電池を直列接続してなる電源電池を駆動源としている。
　【００１８】
　図４において、ＣＣＤ３０３は、マクロズームレンズ３０１により結像された被写体の光像を、Ｒ（赤），Ｇ（緑），Ｂ（青）の色成分の画像信号（各画素で受光された画素信号の信号列からなる信号）に光電変換して出力するものである。タイミングジェネレータ３１４は、ＣＣＤ３０３の駆動を制御するための各種のタイミングパルスを生成するものである。また、撮像部３における露出制御は、絞りが固定絞りとなっているので、ＣＣＤ３０３の露光量、即ち、シャッタスピードに相当するＣＣＤ３０３の電荷蓄積時間を調節して行なわれる。被写体輝度が低輝度時に適切なシャッタスピードが設定できない場合は、ＣＣＤ３０３から出力される画像信号のレベル調整を行なうことにより露光不足による不適正露出が補正される。即ち、低輝度時は、シャッタスピードとゲイン調整とを組み合わせて露出制御が行なわれる。
　【００１９】
　タイミングジェネレータ３１４から出力されるＣＣＤ３０３の駆動制御信号は、タイミング制御回路２０２から送信される基準クロックに基づいて生成され、例えば、積分開始／終了（露出開始／終了）のタイミング信号、各画素の受光信号の読出制御信号（水平同期信号，垂直同期信号，転送信号等）等のクロック信号を生成し、ＣＣＤ３０３に出力する。信号処理回路３１３は、ＣＣＤ３０３から出力される画像信号（アナログ信号）に所定のアナログ信号処理を施すものであり、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
　【００２０】
　調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４からの発光停止信号が、制御部２１１を介してＦＬ制御回路２１４に出力される。ＦＬ制御回路２１４は、この発光停止信号に応答して内蔵フラッシュ５の発光を強制的に停止し、これにより内蔵フラッシュ５の発光量が所定の発光量に制御される。
　【００２１】
　カメラ本体部２内において、Ａ／Ｄ変換器２０５は、信号処理回路３１３からの画像信号の各画素信号を１０ビットのデジタル信号に変換するものである。Ａ／Ｄ変換器２０５は、Ａ／Ｄクロック発生回路（不図示）から入力されるＡ／Ｄ変換用のクロックに基づいて各画素信号（アナログ信号）を１０ビットのデジタル信号に変換する。タイミング制御回路２０２は、カメラ本体部２内には、基準クロックと、タイミングジェネレータ３１４及びＡ／Ｄ変換器２０５に対するクロックとを生成するものであり、制御部２１１により制御される。
　【００２２】
　黒レベル補正回路２０６は、Ａ／Ｄ変換器２０５によりＡ／Ｄ変換された画素信号（以下、画素データという。）の黒レベルを基準の黒レベルに補正するものである。また、ＷＢ回路２０７は、γ補正後にホワイトバランスも合わせて調整されるように、Ｒ，Ｇ，Ｂの各色成分の画素データのレベル変換を行なうものであり、全体制御部２１１から入力されるレベル変換テーブルを用いてＲ，Ｇ，Ｂの各色成分の画素データのレベルを変換する。なお、レベル変換テーブルの各色成分の変換係数（特性の傾き）は全体制御部２１１により撮影画像毎に設定される。γ補正回路２０８は、画素データのγ特性を補正するものであり、γ特性の異なる例えば６種類のγ補正テーブルを有し、撮影シーンや撮影条件に応じて所定のγ補正テーブルにより画素データのγ補正を行なう。
　【００２３】
　画像メモリ２０９は、γ補正回路２０８から出力される画素データを記憶するメモリであり、１フレーム分の記憶容量を有している。即ち、画像メモリ２０９は、ＣＣＤ３０３がｎ行ｍ列の画素を有している場合、ｎ×ｍ画素分の画素データの記憶容量を有し、各画素データが対応する画素位置に記憶されるようになっている。画像メモリ（ＶＲＡＭ）２１０は、ＬＣＤ表示部１０に再生表示される画像データのバッファメモリであり、ＬＣＤ表示部１０の画素数に対応した画像データの記憶容量を有している。
　【００２４】
　撮影待機状態においては、撮像部３により１／３０秒毎に撮像された画像の各画素データが、Ａ／Ｄ変換器２０５乃至γ補正回路２０８の各回路により所定の信号処理を施され、その後、画像メモリ２０９に記憶されるとともに、全体制御部２１１を介してＶＲＡＭ２１０に転送され、ＬＣＤ表示部１０に表示される。これにより撮影者はＬＣＤ表示部１０に表示された画像により被写体像を視認することができる。また、再生モードにおいては、メモリカード８から読み出された画像に、全体制御部２１１で所定の信号処理が施された後、この画像が画像メモリ２１０に転送され、ＬＣＤ表示部１０に再生表示される。
カードＩ／Ｆ２１２は、メモリカード８への画像データの書込み及び画像データの読出しを行なうためのインタフェースである。また、通信用Ｉ／Ｆ２１３は、パーソナルコンピュータ１９を通信可能に外部接続するための、例えばＵＳＢ規格に準拠したインタフェースである。
　【００２５】
　ＦＬ制御回路２１４は、内蔵フラッシュ５の発光を制御する回路である。ＦＬ制御回路２１４は、全体制御部２１１の制御信号に基づき内蔵フラッシュ５の発光の有無、発光量及び発光タイミング等を制御し、調光回路３０４から入力される発光停止信号に基づき内蔵フラッシュ５の発光量を制御する。ＲＴＣ２１９は、撮影日時を管理するするための時計回路であり、図示しない別の電源で駆動される。操作部２５０は、上述したＵＰスイッチ６、ＤＯＷＮスイッチ７、シャッタボタン９、ＦＬモード設定スイッチ１１、圧縮率設定スイッチ１２、及び撮影／再生モード設定スイッチ１４を有する。
　【００２６】
　全体制御部２１１は、マイクロコンピュータからなり、上述した撮像部３内及びカメラ本体部２内の各部材の駆動を有機的に制御してデジタルカメラ１の撮影動作を統括制御するものである。図５に示すように、全体制御部２１１は、露出制御値（シャッタスピード（ＳＳ））を設定するための輝度判定部２１１ａと、シャッタスピード設定部２１１ｂとを備えている。輝度判定部２１１ａは、撮影待機状態において、ＣＣＤ３０３により１／３０秒毎に取り込まれる画像を利用して被写体の明るさを判定する。即ち、輝度判定部２１１ａは、画像メモリ２０９に更新的に記憶される画像データを用いて被写体の明るさを判定するものであり、画像メモリ２０９の記憶エリアを９個のブロックに分割し、各ブロックに含まれるＧ（緑）の色成分の画素データを用いて各ブロックを代表する輝度データを算出する。
　【００２７】
　シャッタスピード設定部２１１ｂは、輝度判定部２１１ａによる被写体の明るさの判定結果に基づいてシャッタスピード（ＣＣＤ３０３の積分時間）を設定するものであり、シャッタスピードＳＳのテーブルを有している。シャッタスピードＳＳは、カメラ起動時に１／１２８秒に初期設定され、撮影待機状態において、シャッタスピード設定部２１１ｂは、輝度判定部２１１ａによる被写体の明るさの判定結果に応じて初期値から高速側若しくは低速側に１段ずつ変更設定する。
　【００２８】
　また、全体制御部２１１は、撮影シーンに応じて適切なシャッタスピードＳＳの設定、γ補正、フィルタリング補正（後述）を行なうために、「低輝度シーン」、「中輝度通常シーン」、「中輝度逆光シーン」及び「高輝度シーン」の４種類の撮影シーンを判定するシーン判定部２１１ｃを備えている。「低輝度シーン」は、室内撮影や夜間撮影のように、通常、フラッシュによる補助光を必要とするシーンであり、「中輝度通常シーン」は、主被写体に対する照明光（自然光、人工光を含む）が順光で、かつ、その明るさが適当であるため補助光無しで撮影可能なシーンである。また、「中輝度逆光シーン」は、全体的な明るさは適当であるが、主被写体に対する照明光が逆光のため、フラッシュ発光が好ましいシーンであり、「高輝度シーン」は、例えば晴天の海やスキー場での撮影のように全体的に非常に明るいシーンである。
　【００２９】
　更に、全体制御部２１１は、撮像画像が風景や人物等の通常の写真撮影の画像（以下、この種の撮影画像を自然画という。）であるか、ボードに描かれた文字、図表等の画像（以下、この種の２値画像に類似した画像を文字画という。）であるかを判定する画像判定部２１１ｅを備えている。画像判定部２１１ｅは、画像メモリ２０９に記憶された撮像画像を構成する画素データに基づき、各画素位置の輝度データのヒストグラムを作成し、このヒストグラムに基づき撮像画像の内容を判定する。一般に、撮像画像の輝度データのヒストグラムは、自然画の場合は、輝度分布の偏りが少なく、１つのピーク値を有する、いわゆる１山分布となるが、例えばホワイトボードに描かれた文字のような文字画の場合は、白地部分と黒の文字部分とにそれぞれ輝度分布の偏りが見られ、２山分布となる。従って、画像判定部２１１ｅは、撮像画像の輝度データＢＶ（ｉ，ｊ）のヒストグラムが１山分布であるか、２山分布であるかを判別することにより撮像画像が自然画であるか、文字画であるかを判別する。そして、この判定結果はメモリ２１１ｄに記憶される。
　【００３０】
　全体制御部２１１は、上記撮影画像の記録処理を行なうために、フィルタリング処理を行なうフィルタ部２１１ｆと、サムネイル画像及び圧縮画像を生成する記録画像生成部２１１ｇとを備え、メモリカード８に記録された画像をＬＣＤ表示部１０に再生するために、再生画像を生成する再生画像生成部２１１ｈを備えている。フィルタ部２１１ｆは、デジタルフィルタにより記録すべき画像の高周波成分を補正して輪郭に関する画質の補正を行なうものである。フィルタ部２１１ｆは、圧縮率Ｋ＝１／８，１／２０のそれぞれについて、標準的な輪郭補正を行うデジタルフィルタと、この標準的な輪郭補正に対して、輪郭を強める２種類のデジタルフィルタと、輪郭を弱める２種類のデジタルフィルタの合計５種類のデジタルフィルタを備えている。
　【００３１】
　記録画像生成部２１１ｇは、画像メモリ２０９から画素データを読み出してメモリカード８に記録すべきサムネイル画像と圧縮画像とを生成する。記録画像生成部２１１ｇは、画像メモリ２０９からラスタ走査方向に走査しつつ、横方向と縦方向の両方向でそれぞれ８画素毎に画素データを読み出し、順次、メモリカード８内のサムネイル画像エリアに転送することで、サムネイル画像を生成しつつメモリカード８に記録する。また、記録画像生成部２１１ｇは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の本画像エリアに記録する。
　【００３２】
　全体制御部２１１は、撮影モードにおいて、シャッタボタン９により撮影が指示されると、撮影指示後に画像メモリ２０９に取り込まれた画像のサムネイル画像と、圧縮率設定スイッチ１２で設定された圧縮率ＫによりＪＰＥＧ方式で圧縮された圧縮画像とを生成し、撮影画像に関するタグ情報（コマ番号、露出値、シャッタスピード、圧縮率Ｋ、撮影日、撮影時のフラッシュのオンオフのデータ、シーン情報、画像の判定結果等の情報）とともに両画像をメモリカード８に記憶する。デジタルカメラ１で撮影した画像は、メモリカード８に、圧縮率１／２０で４０コマの画像が記憶可能であり、各コマはタグの部分とＪＰＥＧ形式で圧縮された高解像度の画像データ（６４０×４８０画素）とサムネイル表示用の画像データ（８０×６０画素）が記録されている。この画像ファイルは、各コマ単位で、例えば、ＥＸＩＦ形式の画像ファイルとして扱うことが可能である。さらに、メモリカード８には、各コマ単位で、各画像に対する履歴情報を格納するためのエリアがある（図６参照）。
　【００３３】
＜履歴情報の付与＞
　次に、デジタルカメラ１での画像ファイルに関する履歴情報のメモリカード８への書き込み処理について図７（ａ）のフローチャートを参照して説明する。先述のように、撮影／再生モード設定スイッチ１４を右にスライドすると、再生モードが設定される。再生モードの状態で、何らかのスイッチが押されると（Ｓ１００でＹｅｓ）、それがＵＰスイッチ６であれば（Ｓ１１０でＹｅｓ）、現在カウント中の再生表示時間のタイマＴ１（後述）をクリアし（Ｓ１２０）、表示コマ番号をインクリメントした後（Ｓ１３０）、表示されているコマ画像を更新する（Ｓ１４０）。例えば、第３コマ目が表示されている状態で、ＵＰスイッチ６が押されると次の第４コマ目が表示される。そして、新たなコマ画像の表示時間をカウントするタイマＴ１をスタートさせる（Ｓ１５０）。次に、スイッチが何も押されていないときに値が更新されるタイマＴ２をクリアし（Ｓ１６０）、再スタートさせる（Ｓ１７０）。このタイマＴ２は、その値が所定以上の時に電源を落とす、オートパワーオフ処理に用いられる。
　【００３４】
　一方、Ｓ１１０でＮｏの時は、電源スイッチＰＳが押されたかどうかを判定し（Ｓ１８０）、電源スイッチＰＳが押されたなら、終了処理を行い（Ｓ１９０）、電源スイッチＰＳ以外の場合には、Ｄｅｌ１で削除ボタンＤが押されたかどうかを判定し、削除ボタンＤが押されたなら、Ｄｅｌ２で当該画像データが光磁気ディスクに転送済みかどうかを判別し、転送済みなら、画像データとその履歴情報を削除する（Ｄｅｌ３）。光磁気ディスクに転送されていない場合は、操作者に警告表示を行い（Ｄｅｌ４）、その上で削除ボタンＤが押されたら（Ｄｅｌ５でＹｅｓ）、画像データとその履歴情報を削除し（Ｄｅｌ３）、Ｓ１６０に移る。警告表示後、削除ボタンＤが押されないときは（Ｄｅｌ５でＮｏ）、画像データ及び履歴情報を削除することなくＳ１６０に移る。なお、光磁気ディスクへの転送が完了しているかどうかは、後述するように転送時にメモリカード８に記録された履歴情報に基づいて判別可能である。
　【００３５】
　次に、メモリカード８へ画像の再生表示時間に応じた履歴情報の記録を行う処理について図７（ｂ）のフローチャートを参照して説明する。Ｓ２００でタイマＴ１が３０秒以上をカウントした時、すなわち、３０秒以上ＵＰスイッチ６が押されていない時には、特定の画像が再生表示され続けたということであり、これは、この画像が他の画像と異なり重要な意味合いを持つ画像と考えられる。従って、そのような画像に対しては、タイマＴ１をクリアした後（Ｓ２１０）、履歴情報が記録されていない画像に対しては（Ｓ２２０でＮｏ）、その画像コマに対応する表示時間の履歴情報に１を記録し（Ｓ２３０−１）、既に履歴情報が記録されている画像に対しては（Ｓ２２０でＹｅｓ）、その画像コマに対応する表示時間の履歴情報をインクリメントする（Ｓ２３０−２）。表示時間の履歴情報に１付加することによって、その画像の優先順位を上げるようにする。
　【００３６】
　さらに、タイマＴ２の値が３００秒より大きくなった場合には（Ｓ２４０でＹｅｓ）、上記のようにして記録した画像コマに対応する表示時間の履歴情報を０に再設定する（Ｓ２５０）。これは、表示されている画像が重要な画像でない場合であっても、その画像を表示したまま放置すると、Ｓ２３０で履歴情報が付与されてしまい、検索時のノイズとなる可能性があるため、そのような場合には履歴情報を削除するのである。この後、タイマＴ２をクリアし（Ｓ２６０）、オートパワーオフの処理を行う（Ｓ２７０）。なお、Ｓ１１０、Ｓ１８０、Ｓ１９０で示したように、画像を長時間表示した後であっても、電源スイッチＰＳを押して電源を落とした場合には、履歴情報は削除されない。
　【００３７】
＜メモリカードから光磁気ディスクへ転送及び画像表示装置のシステム構成＞
　次に、デジタルカメラで撮影した画像が格納されているメモリカード８内の画像を、本発明の画像検索ステムの一構成要素である画像表示装置で表示し、又は別の大容量メディア（光磁気ディスク）に転送する場合に関して説明する。
　【００３８】
　図８は画像表示装置を含む画像検索システム構成図、図９（ａ）（ｂ）は画像表示装置の正面図及びジョグシャトルの平面図、図１０は画像表示装置のブロック図である。画像表示装置２１は、デジタルカメラで記録した画像が記録されているメモリカード８（画像記録媒体）を装着するためのメモリカードスロット２９と、プリンタ３０やＰＣ（パーソナルコンピュータ）１９を接続するための２つのＵＳＢ（Ｕｎｉｖｅｒｓａｌ　Ｓｅｒｉａｌ　Ｂｕｓ）ポート３１が設けられている。画像表示装置２１には、さらに、光磁気ディスク３２（大容量の画像記録媒体）を駆動するための光磁気ディスクドライブ３３が光磁気ディスクインターフェース３４を介して直接接続可能である。メモリカード８や光磁気ディスク３２に記録されている画像は、画像表示装置２１の操作部３７の各種スイッチ類を操作することにより、液晶表示部３６に表示される。この表示部３６には、各種操作を行うための操作メニューも表示される。操作部３７には、表示部３６に画像コマの履歴情報（後述）を表示させる履歴設定ボタンＨが設けられている。
　【００３９】
　画像表示装置２１の制御は、データ処理部３９内のＣＰＵがＲＯＭ４０に格納されているプログラムを読み出し、メモリカードスロット２９、ＵＳＢポート３１、光磁気ディスクインターフェース３４、グラフィックコントローラとＶＲＡＭ４１、液晶表示部３６、操作部３７を制御することにより行われる。データ処理部３９には、バックアップ電池４３で駆動されるＲＴＣ（リアルタイムクロック）４４が接続されているので、データを処理した日付と時刻を光磁気ディスク３２やメモリカード８に記録可能である。また、フラッシュメモリ４５には、光磁気ディスクへの転送結果が記録されている。画像表示装置２１は、電源部４６の電池によって電力が供給されるほか、図示しないＡＣアダプタによる電力供給も可能になっている。
　【００４０】
＜メモリカード及び光磁気ディスク内のデータ配列＞
　メモリカード８及び光磁気ディスク３２内のデータ配列を図１１に示す。デジタルカメラによって記録された画像は４０コマからなり、各コマには、このコマに対する操作の履歴情報Ｍの部分と、タグ（見出し）情報の部分と、ＪＰＥＧ（Ｊｏｉｎｔ　Ｐｈｏｔｏｇｒａｐｈｉｃ　Ｅｘｐｅｒｔｓ　Ｇｒｏｕｐ）形式で圧縮された高解像度の画像データ（６４０×４８０画素）と、縮小表示用の画像データ（８０×６０画素）（サムネイル画像データ）が記録されている。各コマ単位で、例えばＥＸＩＦ形式の画像ファイルとして扱うことが可能である。履歴情報には、上述した画像コマの表示時間その他に関する履歴情報が格納され、タグには、撮影日、撮影時のフラッシュのオン／オフのデータ等が格納されている。
　【００４１】
　光磁気ディスク３２には、メモリカード８の画像データを転送して記録することができる。記録順に、Ｎｏ１，Ｎｏ２，Ｎｏ３，…，Ｎｏ．ｎ，…，Ｎｏ．３０００の画像ファイルの番号が付与され、各ファイルには、メモリカード８の場合と同様に、高解像度画像データと、縮小表示用の低解像度用の画像データ（サムネイル画像データ）と、タグ情報と、履歴情報Ｒが記録される。この履歴情報Ｒは、デジタルカメラ１で付与されるメモリカード８の履歴情報Ｍに対して上位互換になっている。例えば、デジタルカメラ１では画像の編集はできないが、画像表示装置２１ではそれが可能になっているなど、画像表示装置２１の方が多機能であるためである。そこで、メモリカード８から光磁気ディスク３２へ画像の転送を行う際には、単に、メモリカード８の履歴情報Ｍを転送するだけではなく、今後の画像表示装置２１で付与されるであろう履歴情報を付与するためのエリアを光磁気ディスク３２上に確保するようになっている。即ち、１コマのファイルの容量は、メモリカードのそれよりも光磁気ディスクの方が大きい。
　【００４２】
　また、各画像ファイルを管理するためのファイル管理部５１があり、そこには、全体のディレクトリ（階層）構造や、ファイルの番号とファイルの名称をディレクトリと対応付けるためのテーブルが記録されている。例えば、次の表に示すようにディレクトリが作れられているときには、図１１（ｂ）のような構成になっている。
　【表１】
　【００４３】
＜ジョグシャトル７８の操作＞
　ジョグシャトル７８を操作した場合について説明する。ジョグシャトル７８は、周知のごとく、外側回転輪７８１と内部回転部７８２とからなる。外部回転輪７８１は、±９０°の範囲で回転可能であり、回転角に応じて、次のキーと同等の機能を持つ。
　Ｓｔａｔｅ１：＋１０°〜＋３０°：送りキー　　７５
　Ｓｔａｔｅ２：＋５０°〜＋７０°：早送りキー　７６
　Ｓｔａｔｅ３：−１０°〜−３０°：逆転キー　　７３
　Ｓｔａｔｅ４：−５０°〜−７０°：高速逆転キー７２
　Ｓｔａｔｅ０：その他の角度
　なお、Ｓｔａｔｅ１，Ｓｔａｔｅ２，Ｓｔａｔｅ３，Ｓｔａｔｅ４からＳｔａｔｅ０に遷移した時には、停止ボタン７４を押したのと同等である。
　【００４４】
　外側回転輪７８１はバネ付勢されており、指で回転状態を保持しない限り、０度の位置にある。また、内部回転部７８２には、指をかけるための凹み７８３があり、３０°毎にクリックストップと接点がある。画面Ｄ１３（後述の図１２）で画像が表示されているときに、内部回転部７８２を＋方向に１単位回転（Ｅｖｅｎｔ＋）させると、１つ後のコマの画像を表示する。また、−方向に１単位回転（Ｅｖｅｎｔ−）させると、１つ前のコマの画像を表示する。なお、送りキー７５を押してすぐ離した時もＥｖｅｎｔ＋が発生し、逆転キー７３を押してすぐ離した時はＥｖｅｎｔ−が発生する。
　【００４５】
＜画面遷移＞
　画像表示装置２１の液晶表示部３６に表示される画面の遷移状況について上記の図９に加えて図１２を参照して説明する。図１２はこの画面の遷移状況を示す図である。画像表示装置２１に光磁気ディスクドライブ３３を装着し、電源ボタン７１をオンすると、データ処理部３９に接続されている本体ＲＯＭ４０内のプログラムが読み出され、ＲＯＭ４０内の処理手順に従って、ＲＡＭ５２等の初期化処理を行った後に、操作部３７、メモリカードスロット２９、ＵＳＢポート３１、光磁気ディスクインターフェース３４が使用可能になる。その後、データ処理部３９の制御下にあるグラフィックコントローラとＶＲＡＭ４１が制御され、液晶表示部３６に初期画面Ｄ１が表示される。
　【００４６】
　画面Ｄ１では、選択肢の中で”画像の表示”が選択されている。画面Ｄ１で矢印キー７９１、７９３を押すことによって、選択肢を順番に変更することが可能である。画像の表示が選択された状態で、エンターキー７７２を押すと、メディアの選択画面Ｄ１０が表示される。ここでは、光磁気ディスク３２、メモリカード８のうち、装着されている方が選択された状態を示す。装着されていない方のデバイスは、選択不可にしてもかまわないし、表示方法を変更してもかまわない。例えば、淡色で表示する方法が考えられる。また、両方が装着されている場合は、光磁気ディスク３２とメモリカード８のどちらがが優先的に選択されるようにしてもよい。
　【００４７】
　画面Ｄ１０でジョグシャトルをＳｔａｔｅ１にすると、光磁気ディスク３２に記録されている画像ファイルの高解像度画像データを撮影日順に１コマ毎に順次表示する（ブラウジングモード；画面Ｄ１１）。ブラウジングモードでジョグシャトルをＳｔａｔｅ０にすると、ブラウジングが停止し、Ｓｔａｔｅ０にした時に表示されていた画像が表示されたままの状態になる（画面Ｄ１３）。一方、画面Ｄ１０でジョグシャトルをＳｔａｔｅ２にすると、光磁気ディスク３２に記録されている画像ファイルのサムネイル画像データを撮影日順に１コマ毎に順次表示する（ハイスピードブラウジングモード；画面Ｄ１２）。サムネイルデータサイズは８０×６０（ｐｉｘｅｌ）表示エリアが６４０×４８０（ｐｉｘｅｌ）でありデータ量が少ないので、高速なブラウジングが可能である。表示の際にはサムネイル画像を補完して拡大表示することにより視認性が高められる。
　【００４８】
→　画面Ｄ１２のハイスピードブラウジングモードでジョグシャトルをＳｔａｔｅ０にすると、ブラウジングが停止し、Ｓｔａｔｅ０になった時に表示されていた画像が表示されたままの状態になる（画面Ｄ１３）。画面Ｄ１３でメニューキー７７１を押すと、画面Ｄ１４に遷移する。画面Ｄ１３で、再度ジョグシャトルをＳｔａｔｅ１にすると、ブラウジングモードになり、ジョグシャトルをＳｔａｔｅ２にすると、ハイスピードブラウジングモードになる。画面Ｄ１３でＥｖｅｎｔ＋が発生すると、１つ後のコマを表示し、Ｅｖｅｎｔ−が発生すると、１つ前のコマが表示される。例えば、ブラウジングモードで、Ｎｏ１，Ｎｏ２，‥‥．，Ｎｏ９，Ｎｏ１０と表示し、Ｎｏ１０を表示している段階で、行き過ぎたことに気がついたら、そこで、ジョグシャトルをＳｔａｔｅ０にして画面をＤ１３とし、その後、内部回転部７８２を−方向に１単位づつ回転（Ｅｖｅｎｔ−）させることにより、必要な画像に到達することができる。なお、画面遷移をジョグシャトルを操作した場合を例示して説明したが、キー７２〜７６を操作した時も同様である。
　【００４９】
＜画面遷移、ファイル転送＞
　次に、ファイルの転送処理に関して説明する。画面Ｄ３で「３．画像の転送」を選択しエンターキーを押すと、画面Ｄ３１の画像の転送に遷移する。この画面では、メモリカード８から光磁気ディスク３２へ転送するか、光磁気ディスク３２からメモリカード８へ転送するかを選択する。メモリカード８から光磁気ディスク３２への転送を選択してエンターキーを押すと、画像転送中の表示がされる（画面Ｄ３２）。転送が完了後、その旨を表示する画面Ｄ３３が表示され、この時点でエンターキーが押されると画面Ｄ３に戻る。
　【００５０】
＜画像の編集＞
　次に、画像表示装置における画像の編集操作について図１３及び図１４を参照して説明する。上記の画面Ｄ１３で、メニューキー７７１を押すと画像の編集メニューが表示される（画面Ｄ１４）。この画面では、画像の編集、プリントアウト、データ処理、ＰＣへの転送、拡大表示、の５つの選択肢がある。矢印キー７９１，７９３、又はジョグシャトル７８の操作によって選択したものがサイクリック変更される（画面Ｄ１４〜画面Ｄ１９）。画面Ｄ１４〜画面１９において、エンターキーを押すと、次の階層に遷移する。ここで、画面Ｄ１４乃至Ｄ１８においてエンターキー７７２を押すと、次の階層の画面Ｄ１４０乃至Ｄ１８０に遷移し、画面Ｄ１４０乃至Ｄ１８０でメニューキー７７１を押すと前の階層の画面Ｄ１４乃至Ｄ１８に戻る。
　【００５１】
　画面Ｄ１４で、「画像の編集」を選択してエンターキー７７２を押すと、画像の編集項目の選択が可能な画面Ｄ１４０に遷移する。この画面で、矢印キー７９１，７９３又はジョグシャトル７８を操作すると、画面Ｄ１４１、Ｄ１４２に遷移し、回転、カラーバランスの調整が選択可能になる。トリミングが選択された画面Ｄ１４０でエンターキー７７２を押すと、トリミング画面Ｄ１４００に遷移する。画面Ｄ１４００では、矢印キー７９１，７９３又はジョグシャトル７８の操作によりトリミング枠を設定可能である。画面Ｄ１４００でエンターキー７７２を押すと、トリミング枠が設定された状態で、画面Ｄ１４０に戻る。画面Ｄ１４００でメニューキー７７１を押すと、トリミング枠の設定をキャンセルして画面Ｄ１４０に戻る。
　【００５２】
　画面Ｄ１４１でエンターキー７７２を押すと、画像の回転編集画面Ｄ１４１０に遷移する。画面Ｄ１４１０では、矢印キー７９１，７９３又はジョグシャトル７８の操作により右回転・左回転を選択可能である。画面Ｄ１４１０でエンターキー７７２を押すと、画像が右又は左に回転された状態で画面Ｄ１４１に戻る。また、画面Ｄ１４１０でメニューキー７７１を押すと、画像の回転をキャンセルして画面Ｄ１４１に戻る。
　【００５３】
　画面Ｄ１４２でエンターキー７７２を押すと、カラーバランス設定画面Ｄ１４２０に遷移する。画面Ｄ１４２０では、５つの調整項目、明るさ、コントラスト、Ｒ（Ｒｅｄ）、Ｇ（Ｇｒｅｅｎ）、Ｂ（Ｂｌｕｅ）を矢印キー７９１，７９３又はジョグシャトル７８の操作により選択できる。ここで、例えば、明るさを調整する場合、設定された明るさはバーグラフ状に表示される。コントラスト、Ｒ、Ｇ、Ｂに関しても同様に調整可能である。
　【００５４】
　画面Ｄ１５（プリントアウト）でエンターキー７７２を押すと、プリントが開始され、プリント中である旨が表示される（画面Ｄ１５０）。プリントが完了するとプリント完了のメッセージを表示し（画面１５１）、エンターキー７７２又はメニューキー７７１を押すと画面Ｄ１５に戻る。画面Ｄ１６（データ処理が選択された状態）でエンターキー７７２を押すと、画面Ｄ１６０（データ整理）に遷移し、データの削除・履歴情報の編集が可能となる。画面Ｄ１６０でメニューキー７７１を押すと画面Ｄ１６に戻る。
　【００５５】
　画面Ｄ１７（ＰＣへ転送）でエンターキー７７２を押すと、ＰＣへの転送が開始され、ＰＣへの転送中である旨を表示する（画面Ｄ１７０）。ＰＣへの転送が完了するとＰＣへの転送完了のメッセージを表示し（画面Ｄ１７１）、エンターキー７７２又はメニューキー７７１を押すと画面Ｄ１７に戻る。画面Ｄ１８（拡大表示）でエンターキー７７２を押すと、背景に表示されている画像が２００％拡大される拡大画面表示画面Ｄ１８０に遷移する。画面Ｄ１８０でジョグシャトル７８又は矢印キー７９１〜７９４を操作すると、背景に表示されている拡大画像がスクロールされる。また、メニューキー７７１を押すと表示倍率を元に戻した上で画面Ｄ１８に戻る。画面Ｄ１９（戻る）でエンターキー７７２を押すと画面Ｄ１３に戻る。
　【００５６】
＜履歴情報＞
　上記のファイル転送、編集作業を行った結果、履歴情報がどのように記録されるかについて図１５及び図１６を用いて説明する。図１５及び図１６は光磁気ディスク３２に記憶される各コマ画像に対するタグ情報及び操作履歴情報のテーブルを示す図である。第１列〜第５列はデジタルカメラでの撮影時にメモリカード８に記録されるタグ情報である。メモリカード８から光磁気ディスク３２に画像データが転送される際には、第１列〜第５列に示すタグ情報も同時に転送される。第６列は、上述したように、デジタルカメラ１で画像を再生表示したときに、メモリカード８に記録される履歴情報である。また、第７列は、メモリカード８から光磁気ディスク３２に画像データが転送されたときに記録される、転送した光磁気ディスク３２のＩＤ情報である。これは転送する側のメモリカード８にも記録されるし、転送される側の光磁気ディスク３２にもそれ自身のＩＤが記録される。なお、光磁気ディスク３２のＩＤは光磁気ディスク３２のフォーマット作業を実施したときに付与されるものである。第９列は、画像データが転送された日付の情報である。第８列と第１０列以降は、転送直後には全て０が登録され、記憶エリアの確保のみが行われる。第６列と第７列は先述した履歴情報Ｍに相当する。
　【００５７】
　メモリカード８から光磁気ディスク３２にデータを転送した後に、画像表示装置２１でブラウジングを行い、ブラウジングを行いながら、履歴設定ボタンＨを押すと、その回数が第１０列に記録され、履歴設定ボタンＨを押す度にインクリメントされる。ブラウジングの際の特定コマの画像の表示時間が第１１列に記録される。単位は秒であり、小数部は切り上げる処理を行う。履歴設定ボタンＨを押した最新の日付、又は画像をピックアップしてその画像を２０秒以上表示した最新の日付が第１２列に記録される。第１３列にはプリントした回数が記録され、第１４列にはプリントした日付が記録される。パソコンへ画像データを転送した最新の日付が第１５列に記録される。画像の編集を行った回数が第１６列に記録され、編集操作がされる度に値がインクリメントされる。編集を行った最新の日付が第１８列に記録される。第１７列には最新の編集の種類を示す値が記録される。この値は以下に従って記録される。
　【００５８】
　【表２】
　【００５９】
　第８列には画像コマのランクが記録される。ランクとは、特定コマの画像に対する操作からその画像に対する重要度を評価する指標である。ランクは次の式で演算され、対応する操作がされる度に常時更新して記録される。
　【数１】
　　ランク＝Ｉｎｔ（Ｓｑｒｔ（（カメラでの表示時間）＾２／１０＋（履歴ボタンを押した回数）＾２＋（同一画像を表示した時間）＾２／１０＋（プリント回数）＾２＋（編集した回数）＾２）））
　但し、ランクは１から１０の１０段階とするので、１０を越える場合には１０に丸め込まれる。
　【００６０】
　以上はランクの決め方の一例であり、例えば、プリントアウトした画像はプリントアウトが存在する訳であるので必ずしも光磁気ディスク３２に格納しておく必要はない。そのような考え方に立脚すれば、次のようなランクの決め方であってもかまわない。
　【数２】
　　ランク＝Ｉｎｔ（Ｓｑｒｔ（Ａｂｓｔ（（（カメラでの表示時間）＾２／１０＋（履歴ボタンを押した回数）＾２＋（同一画像を表示した時間）＾２／１０−（プリント回数）＾２＋（編集した回数）＾２）））
　なお、関数の定義は次の通りである。
　Ｉｎｔ（）　　引数を越えない整数値を返す関数
　Ｓｑｒｔ（）　引数の平方根を返す関数
　Ａｂｓｔ（）　引数の絶対値を返す関数
　【００６１】
　上述した手順により履歴情報が付与されるが、誤操作に対する対応も必要となる。そのために、この画像表示装置２１においては履歴情報の編集機能が設けられている。図１７は履歴情報の編集を示す画面の状態遷移図である。初期画面Ｄ１（図１２）において矢印キー７９１，７９３、又はジョグシャトル７８を操作し、データ処理が選択されている画面Ｄ１６でエンターキー７７２を押すと、データ整理画面Ｄ１６０に遷移する。画面Ｄ１６０では、履歴情報の編集、データの削除、ランクに応じた再圧縮の選択が可能である。ここで、履歴情報の編集を選択してエンターキー７７２を押すと、履歴情報の編集画面Ｄ１６０１に遷移する。この画面では、矢印キー７９１，７９２，７９３、７９４又はジョグシャトル７８を操作することにより画面がスクロールして、画像のコマ単位で図１５の履歴テーブルの第２列以降の全てのデータの編集が可能である。
　【００６２】
　以下に、編集の一例を掲げる。画面Ｄ１６０１では、撮影日付の編集が選択されている。Ｄ１６０１で矢印キー７９４を押すと、図１８に示すように、撮影日付が１インクリメントされ（画面Ｄ１６０１０）、以降、矢印キー７９４を押す度に撮影日付が順次１インクリメントされていく。逆に、画面Ｄ１６０１０で矢印キー７９２を押すと撮影日付が順次１デクリメントされていく。また、画面Ｄ１６０１で矢印キー７９３を押すと、次の項目“フラッシュ発光の有無”の編集画面Ｄ１６０２になる。画面Ｄ１６０１と同様に矢印キー７９２，７９４により発光の有無が設定できる。
　【００６３】
　次にデータを削除する場合について説明する。画面Ｄ１６０で矢印キー７９３を押すと、データの削除画面Ｄ１６１に遷移する。Ｄ１６１でエンターキーを押すと、警告画面Ｄ１６１１に遷移し、この画面上でエンターキー７７２を押すと当該画像データをタグ情報や履歴情報も含めて削除する。Ｄ１６１１でメニューキー７７１又はエンターキー７７２を押すと、画像データを削除することなくＤ１６１に戻る。このデータ削除の際、履歴テーブルの第８列のランクの値が４以上の画像データについては、圧縮率を上げてファイルサイズを小さくして保管しておく。これは、誤操作により重要なデータが完全に消滅するのを防止するための措置である。この場合、ランクに応じて、圧縮率を次の様に変更する。これは、ＪＰＥＧファイルの圧縮率を変更することにより実現している。圧縮率だけではなく、ファイルのサイズを小さくすることを併用してもかまわない。
　【表３】
ランク
４　　　ファイルの圧縮率を４００％上げる
５、６　ファイルの圧縮率を２００％上げる
７以上　ファイルの圧縮率を５０％上げる
　【００６４】
　圧縮された画像データ（削除指定された画像データ）は、タグ情報、履歴情報とともに、光磁気ディスク３２のファイル管理部５１内の一部の領域に保管される。ただし、サムネイルの画像データは圧縮された画像から作成可能であるので削除される。なお、見かけ上削除されたデータは、画面Ｄ１６１で矢印キー７９２を押すことによって復活する（画面Ｄ１６１２）。また、画像データの削除によって、例えば、Ｎｏ．２０６の画像コマのデータエリアが空白になると、次回ファイル転送が行われたときには、空白となったＮｏ２０６のエリアに新しいデータが格納される。
　【００６５】
　画面Ｄ１６１で矢印キー７９３を押すと、ランクに応じたデータの再圧縮画面Ｄ１６２に遷移する。これは、使用する可能性の高い画像（ランクの高い画像）と、使用する可能性の低い画像（ランクの低い画像）とで圧縮率を変えて保存することにより、限られたディスクスペースを有効活用しようとするものである。画面Ｄ１６２でエンターキーが押されると、Ｄ１６２１で再圧縮中である旨の表示がされ、圧縮処理が終了するとＤ１６２２の画面に遷移する。
　【００６６】
　上記画面Ｄ１６２における画像ファイルの再圧縮について図１９のフローチャートを参照して説明する。画面Ｄ１６２において圧縮処理が行われる場合、１つずつ画像ファイルが読み出され、記録されている全ての画像ファイルに対して、以下に示す処理が行われる。まず、画像ファイルのランクの項目を読み（Ｓ１０００）、ランクが０の場合には（Ｓ１００１でＹｅｓ）、そのまま処理を抜けて次の画像ファイルの処理を行う。ランクが７以上の場合には（Ｓ１００２でＹｅｓ）、画像ファイルを伸張した状態で保管する（Ｓ１００３，Ｓ１００４）。重要な画像ファイルは、利用〓度が高いためである。この処理を行うことにより、ファイルを使用時の画像データ伸張処理を省略できる。画像ファイルのランクが１〜６の場合には（Ｓ１００２でＮｏ）、ランクに応じて以下に示すように圧縮率を変更する処理を行う（Ｓ１００５）。
　【表４】
ランク　　　　処理
１　　　　　ファイルの圧縮率を１００％上げて保管
２、３　　　ファイルの圧縮率を７５％上げて保管
４、５，６　何も処理しない
　【００６７】
＜検索画面＞
　次に、この画像表示装置２１における検索の手順に関して、検索時の画像遷移を示す図２０乃至図２２を参照して説明する。インメニューの画面Ｄ１で、矢印キー７９１、７９３又はジョグシャトル７８を操作することにより、検索が選択される（画面Ｄ２）。画面Ｄ２でエンターキー７７２を押すと、検索条件の設定画面Ｄ２００に遷移する。画面Ｄ２００では、撮影日付の検索条件設定が行われる。画面Ｄ２００では撮影日付＝無視が選択されている。この“無視”という意味は、当該項目を検索条件から除外するという意味である。画面２００で矢印キー７９４押すと、検索するデータの撮影日付条件設定画面Ｄ２０５へ遷移する。画面Ｄ２０５で矢印キー７９４押すと、撮影日付範囲の下限の“年”の設定画面Ｄ２０１０に遷移する。以降、矢印キー７９４を押す毎に、撮影日付範囲の下限の“月”の設定画面Ｄ２０３０、撮影日付範囲の下限の“日”の設定画面Ｄ２０５０、撮影日付範囲の上限の“年”の設定画面（図示せず）、撮影日付範囲の上限の“月”の設定画面（図示せず）、撮影日付範囲の上限の“日”の設定画面（図示せず）に遷移する。また、矢印キー７９２を押すと、先と逆の画面遷移で、年、月、日の設定画面に遷移する。
　【００６８】
　撮影日付範囲の下限の“年”の設定画面Ｄ２０１０で矢印キー７９１を押す度に、年が一つずつデクリメントされる（画面Ｄ２００９、Ｄ２００８）。反対に、画面Ｄ２０１０で矢印キー７９３を押す度に、年が１つずつインクリメントされる（画面Ｄ２０１１，Ｄ２０１２）、月の設定、日の設定に関しても同様である（Ｄ２０２９，Ｄ２０２８，Ｄ２０３１，Ｄ２０３２，Ｄ２０４９，Ｄ２０４８，Ｄ２０５１，Ｄ２０５２）。
　【００６９】
　画面Ｄ２００又は画面Ｄ２０５で矢印キー７９３を押すと、フラッシュの有無の検索条件設定画面Ｄ２１０に遷移する。画面２１０で矢印キー７９４を押す毎に、検索条件が“あり”、“なし”と変更され、矢印キー７９２を押すとこれとは逆に変更される（画面Ｄ２１１、Ｄ２１２）。画面２１０、画面２１１、画面２１２で、矢印キー７９３を押すと次の検索項目であるランクの設定画面（画面Ｄ２２０，Ｄ２２１，Ｄ２２２）に遷移する。画面Ｄ２２０、Ｄ２２１、Ｄ２２２においては、他と同様の操作により、ランクＡ乃至Ｅを選択する画面に遷移可能である。なお、検索画面のランク表示と、光磁気ディスク３２に格納されているデータのランクとの関係は、次の様になっている。
　【表５】
検索画面のランク　　データのランクの値
　Ａ　　　　　　　　８以上
　Ｂ　　　　　　　　５以上
　Ｃ　　　　　　　　４以上
　Ｄ　　　　　　　　３以上
　Ｅ　　　　　　　　２以上
　【００７０】
　次に、検索後の画面表示の遷移について図２３を参照して説明する。画面Ｄ２００、Ｄ２０５、Ｄ２１０、Ｄ２２０の画面でエンターキーを押すと、検索実行画面Ｄ２０１に遷移し検索が実行される。検索が終了すると、検索結果表示画面Ｄ２０２に遷移し、検索件数が表示される。ここで、例えば、検索条件として、撮影日付＝１９９７／０９／１５〜１９９７／０９／１５、ランク＝Ｃ、その他の項目は全て“無視”とすると、コマＮｏ１１６の画像データのみが抽出され、件数は１件と表示される。
　【００７１】
　画面Ｄ２０２では、検索結果に対して、サムネイル表示、ブラウジング、再検索、オプションが選択可能である。各モードの選択は、矢印キー７９１，７９３で行う（画面Ｄ２０２乃至Ｄ２０５）。画面Ｄ２０５のオプションが選択された画面でエンターキー７７２を押すと、検索結果の表示方法に関するオプション画面Ｄ２０５１に遷移する。ここでは、検索結果を表示する順番を決定する画面である。画面Ｄ２０５１では、１：日付順に表示（昇順）が選択されている。矢印キー７９１，７９３を押すことにより、他の項目、２：日付順に表示（降順）、３：ランク順に表示（昇順）、４：ランク順に表示（降順）の選択が可能である。ここでエンターキーを押すと、選択されている項目で検索結果の表示順が決定される。その後、画面はＤ２０５に遷移する。画面Ｄ２０５においては、矢印キー７９１を押す毎に、画面Ｄ２０４、画面Ｄ２０３、画面Ｄ２０２に画面が遷移する。
　【００７２】
　画面Ｄ２０２でジョグシャトルをＳｔａｔｅ１にすると、検索結果から、サムネイルのデータを撮影日順に（画面２０５１で日付順表示（昇順）が選択されている場合）９コマ毎に表示する（ブラウジングモード；画面Ｄ２０２１）。９コマの配列は、撮影日順に左上、中上、右上、…、右下となっている。このブラウジングモードの画面Ｄ２０２１でジョグシャトルをＳｔａｔｅ０にすると、ブラウジングが停止し、Ｓｔａｔｅ０にした時に表示されていた９コマの画像が表示されたままの状態になる（画面Ｄ２０２３）。このときには、９コマのサムネイル画像のうち、左上の画像が選択されている。画面Ｄ２０２３で矢印キー７９１，７９２，７９３，７９４を押すと、９つのサムネイル画像の中で選択されている画像が移動する。再度ジョグシャトルをＳｔａｔｅ１にすると、ブラウジングモードになる。また、画面Ｄ２０２３で、ジョグシャトルをＳｔａｔｅ３にすると、ブラウジングモード（逆転）になる。画面Ｄ２０２３でエンターキーを押すと、画面Ｄ１３に遷移する。画面Ｄ２０２３でＥｖｅｎｔ＋が発生すると、１つ後の９つのサムネイル画像を表示し、Ｅｖｅｎｔ−が発生すると、１つ前の９つのサムネイル画像を表示する。なお、画面遷移をジョグシャトルを操作した場合を例示して説明したが、キー７２〜７６を操作した時も同様である。
　【００７３】
　一方、画面Ｄ２０３でジョグシャトルをＳｔａｔｅ１にすると、検索結果の中から、高解像度のデータを撮影日順に１コマ毎に表示する（ブラウジングモード；画面Ｄ１１）。一方、画面Ｄ２０３でジョグシャトルをＳｔａｔｅ２にすると、検索結果の中から、サムネイルの画像データを撮影日順に１コマ毎に表示する（ハイスピードブラウジングモード；画面Ｄ１２）。以降の画面遷移に関しては図１２で説明済みであるので省略する。
　【００７４】
＜起動時の処理＞
　画像表示装置２１の起動時の処理に関して図２４を用いて説明する。画像表示装置２１では、起動時に全てのファイルの履歴情報を見て、所定期間操作されなかったファイルに対してはランクを下げる処理を行うようにしている。起動時に、光磁気ディスク３２が装着されている時には、第１コマ目から順次、Ｓ２０００で履歴情報の日付が記録されている項目（図１５及び図１６の第２，９，１２，１４，１８列）の中で、一番新しい日付を見て（Ｓ２００１）、その日付が半年以上前のものなら（Ｓ２００２でＹｅｓ）、Ｓ２００３でランクを１つ下げるようにする。ランクが下がったコマに対しても、再度、編集処理を行った場合には、ランクの値を再計算する。こうして適宜に履歴情報は更新される。
　【００７５】
　【発明の効果】
　以上のように本発明によれば、画像ファイルに対して何らかの操作を施すことにより履歴情報が付与され、この履歴情報を含む検索条件から画像を検索可能としたので、キーワード情報を付与する手間を要することなく、容易にしかも高い精度で所望の画像を検索することができ、画像データの管理が容易になる。
【図面の簡単な説明】
　【図１】　本発明の一実施形態に係る画像検索システムに適用されるデジタルカメラの正面図である。
　【図２】　デジタルカメラの背面図である。
　【図３】　デジタルカメラの底面図である。
　【図４】　デジタルカメラの電気的構成を示すブロック図である。
　【図５】　デジタルカメラに備えられる全体制御部の詳細構成を示すブロック図である。
　【図６】　メモリカード内のデータ配列を示す図である。
　【図７】　（ａ）（ｂ）は履歴情報のメモリへの書き込み処理のフローチャートである。
　【図８】　画像表示装置を含む画像検索システムの構成図である。
　【図９】　（ａ）（ｂ）は画像表示装置とジョグシャトルの正面図である。　　【図１０】　　画像表示装置のブロック図である。
　【図１１】　（ａ）（ｂ）は光磁気ディスクとメモリカード内のデータ配列及びメモリ構造を示す図である。
　【図１２】　メモリカードから光磁気へのデータ転送と画像のブラウジング示す図である。
　【図１３】　画像の表示と編集の画面遷移を示す図である。
　【図１４】　画像の編集の画面遷移を示す図である。
　【図１５】　履歴テーブルを示す図である。
　【図１６】　履歴テーブルを示す図である。
　【図１７】　履歴情報の編集の画面遷移を示す図である。
　【図１８】　履歴情報の編集の画面遷移を示す図である。
　【図１９】　ファイルの再圧縮の処理を示すフローチャートである。
　【図２０】　検索の画面遷移図である。
　【図２１】　検索の画面遷移図である。
　【図２２】　検索の画面遷移図である。
　【図２３】　検索後の画面遷移図である。
　【図２４】　起動時の処理を示すフローチャートである。
　【符号の説明】
　１　デジタルカメラ
　８　メモリカード（画像記録媒体）
　１９　パーソナルコンピュータ
　２１　画像表示装置
　３２　光磁気ディスク（大容量記憶メディア）
　３６　液晶表示部
　３７　操作部
　３９　データ処理部（履歴情報付与手段、検索手段、検索条件設定手段）
　２１１　全体制御部
　２５０　操作部